(57)【要約】【課題】汎用性を向上できる電子部品ユニットを提供する。【解決手段】電子部品ユニットの一例としてのコネクタユニット１は、ＰＣＢ１０に搭載される複数のコネクタ２，３，４と、連結部材５，６と、ＰＣＢ１０に固定される固定部材７，８と、を備える。連結部材５，６の２つの係合凸部５Ｂ，５Ｃ，６Ｂ，６Ｃのそれぞれを、コネクタ２，３，４の係合凹部２Ｇ〜２Ｊ，３Ｇ〜３Ｊ，４Ｇ〜４Ｈのいずれかに連結させることで、連結部材５，６がコネクタ２，３，４を一体的に連結する。固定部材７，８の係合凸部７Ｂ，８Ｂを、連結部材５，６により連結された複数のコネクタ２，３，４のうち、他の１つのコネクタ３と連結されるコネクタ２，４の係合凹部２Ｇ〜２Ｊ，４Ｇ〜４Ｈと連結させることで、固定部材７，８が、連結部材５，６により連結される複数のコネクタ２，３，４をＰＣＢ１０に固定する。【選択図】図１
2016177942.tif 000002
【特許請求の範囲】
【請求項１】
少なくとも２つの被連結部を有し、回路基板に搭載される複数の電子部品と、
前記被連結部と連結可能な少なくとも２つの第一連結部を有する連結部材と、
前記被連結部と連結可能な第二連結部を有し、前記回路基板に固定される固定部材と、
を備え、
前記連結部材の前記少なくとも２つの第一連結部のそれぞれを、前記複数の電子部品のうちの異なる電子部品の前記被連結部に連結させることで、前記連結部材が前記複数の電子部品を一体的に連結し、
前記固定部材の前記第二連結部を、前記複数の電子部品のうちの１個の電子部品の前記被連結部と連結させることで、前記固定部材が、前記連結部材により連結される前記複数の電子部品を前記回路基板に固定する、
ことを特徴とする電子部品ユニット。
【請求項２】
所定方向に延在する長手形状の部材であり、前記長手形状の両端部にそれぞれ設けられる２つの前記第一連結部を有する複数の前記連結部材と、
複数の前記固定部材と、
を備え、
前記複数の連結部材の前記２つの第一連結部のそれぞれを、前記複数の電子部品のうちの異なる２つの電子部品の前記被連結部に連結させることで、前記複数の連結部材と、前記複数の電子部品とが、相互に一体的に連結する連結体を構成し、
前記複数の固定部材の前記第二連結部を、前記連結体の両端の前記電子部品の前記被連結部とそれぞれ連結させることで、前記固定部材が、前記連結体を前記回路基板に固定する、
請求項１に記載の電子部品ユニット。
【請求項３】
前記固定部材が、ネジ締結によって前記回路基板に固定される、
請求項１または２に記載の電子部品ユニット。
【請求項４】
前記連結部材が、２つの前記第一連結部の間で相対距離を調整する相対距離調整部を有する、
請求項１〜３のいずれか１項に記載の電子部品ユニット。
【発明の詳細な説明】
【技術分野】
【０００１】
本発明は、電子部品ユニットに関する。
【背景技術】
【０００２】
従来、プリント基板に複数の電子部品（例えばコネクタなど）を搭載する際に、組付け作業性を考慮して、予め複数の電子部品の集合体である単一の電子部品ユニットを作製することが知られている。例えば特許文献１には、複数のコネクタの台座と、台座同士を連結する連結部とを合成樹脂材料で一体成形する構成が開示されている。また、特許文献２には、複数のコネクタと連結部材とを備え、各コネクタに設けられる蟻溝に連結部材の端部を嵌合させることで、複数のコネクタを一体化する構成が開示されている。
【先行技術文献】
【特許文献】
【０００３】
【特許文献１】特許第５１４１９１７号公報
【特許文献２】特開平９−２１３４３１号公報
【発明の概要】
【発明が解決しようとする課題】
【０００４】
しかしながら、特許文献１，２に記載される従来の電子部品ユニットは、汎用性の向上についてさらなる改善の余地があった。
【０００５】
本発明は、上記に鑑みてなされたものであって、汎用性を向上できる電子部品ユニットを提供することを目的とする。
【課題を解決するための手段】
【０００６】
上記の課題を解決するため、本発明に係る電子部品ユニットは、少なくとも２つの被連結部を有し、回路基板に搭載される複数の電子部品と、前記被連結部と連結可能な少なくとも２つの第一連結部を有する連結部材と、前記被連結部と連結可能な第二連結部を有し、前記回路基板に固定される固定部材と、を備え、前記連結部材の前記少なくとも２つの第一連結部のそれぞれを、前記複数の電子部品のうちの異なる電子部品の前記被連結部に連結させることで、前記連結部材が前記複数の電子部品を一体的に連結し、前記固定部材の前記第二連結部を、前記複数の電子部品のうちの１個の電子部品の前記被連結部と連結させることで、前記固定部材が、前記連結部材により連結される前記複数の電子部品を前記回路基板に固定することを特徴とする。
【０００７】
また、上記の電子部品ユニットは、所定方向に延在する長手形状の部材であり、前記長手形状の両端部にそれぞれ設けられる２つの前記第一連結部を有する複数の前記連結部材と、複数の前記固定部材と、を備え、前記連結部材の前記２つの第一連結部のそれぞれを、前記複数の電子部品のうちの異なる２つの電子部品の前記被連結部に連結させることで、前記複数の連結部材と前記複数の電子部品とが相互に一体的に連結する連結体を構成し、前記複数の固定部材の前記第二連結部を、前記連結体の両端の前記電子部品の前記被連結部とそれぞれ連結させることで、前記固定部材が、前記連結体を前記回路基板に固定することが好ましい。
【０００８】
また、上記の電子部品ユニットにおいて、前記固定部材が、ネジ締結によって前記回路基板に固定されることが好ましい。
【０００９】
また、上記の電子部品ユニットにおいて、前記連結部材が、２つの前記第一連結部の間で相対距離を調整する相対距離調整部を有することが好ましい。
【発明の効果】
【００１０】
本発明に係る電子部品ユニットは、この電子部品ユニットを構成する複数の電子部品、連結部材、及び固定部材が別体で構成され、相互に連結することで一体的な電子部品ユニットとして組み立てることができるので、コネクタユニットの汎用性を向上できるという効果を奏する。
【図面の簡単な説明】
【００１１】
【図１】図１は、本発明の一実施形態に係る電子部品ユニットの一例としてのコネクタユニットの概略構成を示す斜視図である。
【図２】図２は、図１に示すコネクタユニットの平面図である。
【図３】図３は、図１に示すコネクタユニットの側面図である。
【図４】図４は、図１に示すコネクタユニットの分解斜視図である。
【図５】図５は、実施形態の変形例に係るコネクタユニットの概略構成を示す斜視図である。
【発明を実施するための形態】
【００１２】
以下に、本発明に係る電子部品ユニットの実施形態を図面に基づいて説明する。なお、以下の図面において、同一または相当する部分には同一の参照番号を付し、その説明は繰り返さない。
【００１３】
［実施形態］
図１〜４を参照して、本発明の一実施形態に係る電子部品ユニットの構成について説明する。図１は、本発明の一実施形態に係る電子部品ユニットの一例としてのコネクタユニットの概略構成を示す斜視図である。図２は、図１に示すコネクタユニットの平面図である。図３は、図１に示すコネクタユニットの側面図である。図４は、図１に示すコネクタユニットの分解斜視図である。
【００１４】
本実施形態では、図１〜４に示すように、プリント回路基板（Ｐｒｉｎｔｅｄ  Ｃｉｒｃｕｉｔ  Ｂｏａｒｄ：ＰＣＢ、以下では単に「回路基板」と表記する場合がある）１０に搭載する電子部品の一例としてコネクタ２，３，４を挙げ、また、複数の電子部品を一体的に連結した集合体である電子部品ユニットの一例として、複数のコネクタ２，３，４を一体的に連結した集合体であるコネクタユニット１を挙げて説明する。
【００１５】
以下の説明では、図１に示すコネクタユニット１の各コネクタ２，３，４の端子２Ｂ，３Ｂ，４Ｂが延在する方向を「延在方向」と表記する。また、この延在方向と直交し、かつ、図１に示す各コネクタ２，３，４が一直線上に配列される方向を「配列方向」と表記し、この配列方向のうちコネクタ２が配置される側（図２，３の左側）を「左側」、コネクタ４が配置される側（図２，３の右側）を「右側」と表記する。また、延在方向及び配列方向と直交する方向を「幅方向」と表記し、この幅方向のうちコネクタ２の外周面２Ｃが配置される側（図２の下側）を「前側」と表記し、コネクタ２の外周面２Ｅが配置される側（図２の上側）を「後側」と表記する。
【００１６】
本実施形態のコネクタユニット１は、図１〜３に示すように、複数のコネクタ２，３，４を一体的に連結した集合体であり、ＰＣＢ１０の搭載面１０Ａ上に搭載されている。コネクタユニット１は、図１〜４に示すように、コネクタ２，３，４と、連結部材５，６と、固定部材７，８とを備える。
【００１７】
コネクタ２，３，４は、筐体２Ａ，３Ａ，４Ａの内部に、金属等の導電性材料で形成される端子２Ｂ，３Ｂ，４Ｂを収容して構成され、この端子２Ｂ，３Ｂ，４Ｂを相手側端子と導電接続させるものであり、いわゆる電線対基板用の接続機構を構成するものである。コネクタ２，３，４は、筐体２Ａ，３Ａ，４Ａに支持される複数の端子２Ｂ，３Ｂ，４ＢがＰＣＢ１０に接続されることで、ＰＣＢ１０に搭載される。コネクタ２，３，４は、嵌合相手の相手側コネクタ（図示せず）と導通接続させることで、端子２Ｂ，３Ｂ，４Ｂに接続されるＰＣＢ１０と、相手側コネクタの端子に接続される電線等とを電気的に接続することができる。
【００１８】
コネクタ２は、筐体２Ａと複数の端子２Ｂとを備える。筐体２Ａは、全体が絶縁性の合成樹脂材料等で形成される。筐体２Ａは、延在方向に直交する断面形状が略矩形状となるよう形成されており、その内部において複数の端子２Ｂが延在方向に沿って所定位置に配置されるようにこれを支持している。筐体２Ａは、延在方向に沿った中心軸線の周りに連設される４つの外周面２Ｃ，２Ｄ，２Ｅ，２Ｆを有する。外周面２Ｃは、その法線方向が幅方向の前側に向くように配置され、外周面２Ｄは、その法線方向が配列方向の右側に向くように配置され、外周面２Ｅは、その法線方向が幅方向の後側に向くように配置され、外周面２Ｆは、その法線方向が配列方向の左側に向くように配置されている。すなわち、外周面２Ｃと外周面２Ｅとは幅方向に対向配置されており、外周面２Ｄと外周面２Ｆとは配列方向に対向配置されている。
【００１９】
筐体２Ａの各外周面２Ｃ，２Ｄ，２Ｅ，２Ｆには、それぞれ個別に係合凹部２Ｇ，２Ｈ，２Ｉ，２Ｊ（被連結部）が設けられている。係合凹部２Ｇ，２Ｈ，２Ｉ，２Ｊは、後述する連結部材５，６の係合凸部５Ｂ，５Ｃ，６Ｂ，６Ｃ（第一連結部）、及び、固定部材７，８の係合凸部７Ｂ，８Ｂ（第二連結部）を、延在方向に沿って嵌合可能な形状で形成されている。例えば本実施形態では、係合凹部２Ｇ，２Ｈ，２Ｉ，２Ｊは、係合凸部のＴ字形状の一対の突設部をそれぞれ嵌合する一対の溝部により構成され、延在方向に沿って断面形状でみたときに係合凸部のＴ字形状の外形に沿った内周面を有する形状に形成されている。言い換えると、コネクタ２は、連結部材５，６及び固定部材７，８と連結可能な４つの係合凹部２Ｇ，２Ｈ，２Ｉ，２Ｊを有している。
【００２０】
コネクタ３の筐体３Ａ、複数の端子３Ｂ、外周面３Ｃ，３Ｄ，３Ｅ，３Ｆ、及び、係合凹部３Ｇ，３Ｈ，３Ｉ，３Ｊの構成については、コネクタ２の筐体２Ａ、複数の端子２Ｂ、外周面２Ｃ，２Ｄ，２Ｅ，２Ｆ、及び係合凹部２Ｇ，２Ｈ，２Ｉ，２Ｊと同様であるので説明を省略する。
【００２１】
コネクタ４の筐体４Ａ、複数の端子４Ｂ、及び、外周面４Ｃ，４Ｄ，４Ｅ，４Ｆの構成については、コネクタ２の筐体２Ａ、複数の端子２Ｂ、及び、外周面２Ｃ，２Ｄ，２Ｅ，２Ｆと同様であるので説明を省略する。筐体４Ａの４つの外周面４Ｃ，４Ｄ，４Ｅ，４Ｆのうち、配列方向に沿って対向配置される２つの外周面４Ｄ，４Ｆには、それぞれ個別に係合凹部４Ｇ，４Ｈ（被連結部）が設けられている。係合凹部４Ｇ，４Ｈの構成は、コネクタ２の係合凹部２Ｈ，２Ｊと同様である。
【００２２】
コネクタ２，３，４は、配列方向の左側から右側へ向かってコネクタ２、コネクタ３、コネクタ４の順でＰＣＢ１０の搭載面１０Ａ上に配置されている。
【００２３】
連結部材５，６は、コネクタ２，３，４を一体的に連結する部材である。連結部材５，６は、それぞれが各コネクタ２，３，４の間に配置され、２つのコネクタと連結することで、コネクタユニット１に含まれるすべてのコネクタ２，３，４を一体的に連結する。なお、以下の説明では、コネクタ２，３，４と連結部材５，６とが相互に一体的に連結されて構成される物体を「連結体１１」とも表現する場合がある。
【００２４】
連結部材５は、配列方向に延在する長手形状の本体部５Ａと、この本体部５Ａの長手形状の両端部にそれぞれ設けられる２つの係合凸部５Ｂ，５Ｃとを有する。係合凸部５Ｂ，５Ｃは、延在方向に沿って断面形状でみたときに、本体部５Ａの端部から幅方向の前側及び後側に沿って突出するように略Ｔ字状に形成され、かつ、その略Ｔ字状の断面形状が延在方向に沿って略同一となるように形成されている。連結部材５は、配列方向に沿ってコネクタ２とコネクタ３との間に配置され、コネクタ２とコネクタ３とを連結している。係合凸部５Ｂは、本体部５Ａに対して配列方向の左側に配置され、コネクタ２の係合凹部２Ｈにスライド係合されている。係合凸部５Ｃは、本体部５Ａに対して配列方向の右側に配置され、コネクタ３の係合凹部３Ｊにスライド係合されている。
【００２５】
連結部材６の本体部６Ａ及び係合凸部６Ｂ，６Ｃの構成は、連結部材５の本体部５Ａ及び係合凸部５Ｂ，５Ｃと同様であるので説明を省略する。連結部材６は、配列方向に沿ってコネクタ３とコネクタ４との間に配置され、コネクタ３とコネクタ４とを連結している。係合凸部６Ｂは、本体部６Ａに対して配列方向の左側に配置され、コネクタ３の係合凹部３Ｈにスライド係合されている。係合凸部６Ｃは、本体部６Ａに対して配列方向の右側に配置され、コネクタ４の係合凹部４Ｈにスライド係合されている。
【００２６】
ここで、連結部材５及び連結部材６は、それぞれの長手方向（配列方向）の長さが異なるように形成されている。各連結部材５，６の長さは、連結する２つのコネクタがＰＣＢ１０上に設置される際の相対距離に応じて決められる。なお、コネクタユニット１に含まれるコネクタ間の距離が均等である場合には、連結部材５，６の長さも均等にすることができる。
【００２７】
固定部材７，８は、連結部材５，６により連結されるコネクタ２，３，４をＰＣＢ１０に固定する部材である。固定部材７，８は、ネジ９Ａ，９Ｂを締結することによってＰＣＢ１０に固定される。固定部材７，８は、連結部材５，６により連結されたコネクタ２，３，４のうち、他の１つのコネクタ３とだけ連結されるコネクタ２，４と連結することで、連結部材５，６により連結されたコネクタ２，３，４、すなわちコネクタユニット１の全体をＰＣＢ１０に固定する。言い換えると、固定部材７，８は、連結部材５，６とコネクタ２，３，４とが相互に一体的に連結して構成される連結体１１において、この連結体１１の両端に位置する２つのコネクタ２，４とそれぞれ連結することで、連結体１１をＰＣＢ１０に固定する。
【００２８】
固定部材７は、延在方向に貫通して設けられる孔部７Ａと、係合凸部７Ｂとを有する。固定部材７は、コネクタ２より配列方向の左側に配置されており、コネクタ２の配列方向左側の端面である外周面２Ｆと対向して配置されている。係合凸部７Ｂは、コネクタ２の外周面２Ｆと対向するように、固定部材７の配列方向右側の端面に設けられている。係合凸部７Ｂは、延在方向に沿って断面形状でみたときに、その基端部から幅方向の前側及び後側に沿って突出するように略Ｔ字状に形成され、かつ、その略Ｔ字状の断面形状が延在方向に沿って略同一となるように形成されている。係合凸部７Ｂは、隣接するコネクタ２の外周面２Ｆ上の係合凹部２Ｊにスライド係合されており、これにより、固定部材７は、コネクタユニット１の配列方向左側の端部に連結されている。
【００２９】
固定部材８は、延在方向に貫通して設けられる孔部８Ａと、係合凸部８Ｂとを有する。固定部材８は、コネクタ４より配列方向の右側に配置されており、コネクタ４の配列方向右側の端面である外周面４Ｄと対向して配置されている。係合凸部８Ｂは、コネクタ４の外周面４Ｄと対向するように、固定部材８の配列方向左側の端面に設けられている。係合凸部８Ｂは、延在方向に沿って断面形状でみたときに、その基端部から幅方向の前側及び後側に沿って突出するように略Ｔ字状に形成され、かつ、その略Ｔ字状の断面形状が延在方向に沿って略同一となるように形成されている。係合凸部８Ｂは、隣接するコネクタ４の外周面４Ｄ上の係合凹部４Ｇにスライド係合されており、これにより、固定部材８は、コネクタユニット１の配列方向右側の端部に連結されている。
【００３０】
ここで、各コネクタ２，３，４に設けられる複数の係合凹部２Ｇ〜２Ｊ，３Ｇ〜３Ｊ，４Ｇ〜４Ｈは、いずれも同一形状で形成されている。また、連結部材５，６の係合凸部５Ｂ，５Ｃ，６Ｂ，６Ｃと、固定部材７，８の係合凸部７Ｂ，８Ｂは、延在方向から視たときに同一の形状となるように形成されている。したがって、連結部材５，６の係合凸部５Ｂ，５Ｃ，６Ｂ，６Ｃと、固定部材７，８の係合凸部７Ｂ，８Ｂは共に、各コネクタ２，３，４に設けられる複数の係合凹部２Ｇ〜２Ｊ，３Ｇ〜３Ｊ，４Ｇ〜４Ｈのいずれとも係合可能に形成されている。つまり、連結部材５，６及び固定部材７，８は、各コネクタ２，３，４の係合凹部２Ｇ〜２Ｊ，３Ｇ〜３Ｊ，４Ｇ〜４Ｈが設けられている位置であれば、任意の位置にて各コネクタ２，３，４と連結可能に構成されている。
【００３１】
連結部材７，８の係合凸部７Ｂ，８Ｂと、固定部材７，８の係合凸部７Ｂ，８Ｂは、コネクタ２，３，４の筐体２Ａ,３Ａ，４Ａと同様に絶縁性材料で形成してもよいし、端子２Ｂ,３Ｂ，４Ｂと同様に金属等の導電性材料で形成してもよい。
【００３２】
このように本実施形態では、コネクタユニット１は、３つのコネクタ２，３，４を備え、２つの連結部材５，６によって各コネクタ２，３，４を一体的に連結すると共に、２つの固定部材７，８によって、このように一体的に連結されたコネクタ２，３，４をＰＣＢ１０に締結固定するよう構成されている。より詳細には、配列方向の中央に配置されるコネクタ３は、連結部材５によって配列方向左側のコネクタ２と連結され、また、連結部材６によって配列方向右側のコネクタ４と連結されて、連結体１１を構成している。連結体１１の両端部のコネクタのうち、配列方向の左側に配置されるコネクタ２は、連結部材５によってコネクタ３と連結され、また、固定部材７と連結されている。連結体１１の両端部のコネクタのうち、配列方向の右側に配置されるコネクタ４は、連結部材６によってコネクタ３と連結され、また、固定部材８と連結されている。
【００３３】
このような本実施形態のコネクタユニット１は、例えば以下の工程でＰＣＢ１０に搭載される。まず、第一工程として、コネクタ２，３，４、連結部材５，６、及び、固定部材７，８が一体的に連結される。すなわち、連結部材５の係合凸部５Ｂがコネクタ２の係合凹部２Ｈに、係合凸部５Ｃがコネクタ３の係合凹部３Ｊに、連結部材６の係合凸部６Ｂがコネクタ３の係合凹部３Ｈに、係合凸部６Ｃがコネクタ４の係合凹部４Ｈに、それぞれ嵌合されつつ挿入されてスライド係合される。これにより、連結部材５，６とコネクタ２，３，４とが、相互に一体的に連結する連結体１１を構成する。連結体１１は、図１〜３に示すように複数のコネクタ２，３，４を直線状に配列する。さらに、固定部材７の係合凸部７Ｂが、連結体１１の一方側端部のコネクタ２の係合凹部２Ｊに嵌合されつつ挿入されてスライド係合され、また、固定部材８の係合凸部８Ｂが、連結体１１の他方側端部のコネクタ４の係合凹部４Ｇに嵌合されつつ挿入されてスライド係合される。この結果、コネクタ２，３，４、連結部材５，６、及び、固定部材７，８が一体的に連結されてコネクタユニット１として組み立てられる。なお、各係合凸部５Ｂ，５Ｃ，６Ｂ，６Ｃ，７Ｂ，８Ｂは、延在方向の上側及び下側のいずれの側からでも係合凹部２Ｇ〜２Ｊ，３Ｇ〜３Ｊ，４Ｇ〜４Ｈに嵌合させることができる。
【００３４】
次に、第二工程として、コネクタユニット１がＰＣＢ１０の搭載面１０Ａに組み付けられ、ＰＣＢ１０にネジ締結される。すなわち、コネクタ２，３，４の端子２Ｂ，３Ｂ，４Ｂが、ＰＣＢ１０の搭載面１０Ａ側からスルーホール１０Ｂ，１０Ｃ，１０Ｄにそれぞれ挿入される。そして、ネジ９Ａが、固定部材７の孔部７Ａに挿通されて、ＰＣＢ１０のネジ孔１０Ｅに締結されると共に、ネジ９Ｂが、固定部材８の孔部８Ａに挿通されて、ＰＣＢ１０のネジ孔１０Ｆに締結される。これにより、固定部材７，８が、コネクタ２，３，４及び連結部材５，６から成る連結体１１をＰＣＢ１０に固定した状態となる。
【００３５】
次に、第三工程として、ＰＣＢ１０にネジ締結されたコネクタユニット１がはんだ接合され、ＰＣＢ１０に搭載される。スルーホール１０Ｂ，１０Ｃ，１０Ｄを介して搭載面１０Ａの裏面１０Ｇに挿通されたコネクタ２，３，４の各端子２Ｂ，３Ｂ，４Ｂに、裏面１０Ｇ側からはんだ付けが施され、コネクタ２，３，４の各端子２Ｂ，３Ｂ，４ＢがＰＣＢ１０と電気的に接続される。この結果、コネクタユニット１は、各コネクタ２，３，４の端子２Ｂ，３Ｂ，４ＢがＰＣＢ１０にはんだ接合されると共に、固定部材７，８がＰＣＢ１０にネジ締結されることで、ＰＣＢ１０の搭載面１０Ａ上に搭載される。
【００３６】
次に、本実施形態に係るコネクタユニット１の効果について説明する。
【００３７】
本実施形態のコネクタユニット１は、少なくとも２つの係合凹部２Ｇ〜２Ｊ，３Ｇ〜３Ｊ，４Ｇ〜４Ｈを有し、ＰＣＢ１０に搭載される複数の（図１〜４では３つの）コネクタ２，３，４と、係合凹部２Ｇ〜２Ｊ，３Ｇ〜３Ｊ，４Ｇ〜４Ｈと連結可能な複数の（図１〜４では２つの）係合凸部５Ｂ，５Ｃ，６Ｂ，６Ｃを有する複数の（図１〜４では２つの）連結部材５，６と、係合凹部２Ｇ〜２Ｊ，３Ｇ〜３Ｊ，４Ｇ〜４Ｈと連結可能な係合凸部７Ｂ，８Ｂをそれぞれ有し、ＰＣＢ１０に固定される複数の（図１〜４では２つの）固定部材７，８と、を備える。連結部材５，６の２つの係合凸部５Ｂ，５Ｃ，６Ｂ，６Ｃのそれぞれを、コネクタ２，３，４のうちの異なる２つのコネクタの係合凹部２Ｇ〜２Ｊ，３Ｇ〜３Ｊ，４Ｇ〜４Ｈのいずれかに連結させることで、複数の連結部材５，６が複数のコネクタ２，３，４を一体的に連結する。複数の固定部材７，８の係合凸部７Ｂ，８Ｂのそれぞれを、複数のコネクタ２，３，４のうちの１個のコネクタの係合凹部（図１〜４では係合凸部７Ｂがコネクタ２の係合凹部２Ｊ、係合凸部８Ｂがコネクタ４の係合凹部４Ｇ）にそれぞれ連結させることで、固定部材７，８が、連結部材５，６により連結される複数のコネクタ２，３，４をＰＣＢ１０に固定する。
【００３８】
この構成により、コネクタユニット１を構成するコネクタ２，３，４、連結部材５，６、及び固定部材７，８が別体で構成され、相互に連結することで一体的なコネクタユニット１として組み立てることができる。このため、例えば、ＰＣＢ１０へ搭載するコネクタ２，３，４の種類の変更や、ＰＣＢ１０への搭載時の各コネクタ２，３，４の配置や相対距離の変更など、多種の仕様変更が生じた場合であっても、各部品を交換することで所望の仕様に応じたコネクタユニット１を作製することが可能となる。また、このような仕様変更が生じた場合でも、仕様変更に係る部品が未製造の場合に該当部品の金型を新規起工すればよく、コネクタユニット１全体の金型を仕様変更の度に逐次新たに起工することも不要となる。この結果、本実施形態のコネクタユニット１の上記構成によって、コネクタユニット１の汎用性を向上できる。また、異なる２種の部品である連結部材５，６と固定部材７，８とが、共にコネクタ２，３，４の係合凹部２Ｇ〜２Ｊ，３Ｇ〜３Ｊ，４Ｇ〜４Ｈと連結可能であるので、コネクタユニット１を構成するコネクタ２，３，４、連結部材５，６、及び固定部材７，８の組み合わせのパターンを増やすことができ、ＰＣＢ１０の搭載面１０Ａの様々な制約に応じて各部品を配置することが容易となり、コネクタユニット１の汎用性をさらに向上できる。また、コネクタユニット１の各部品を交換することで（所望の部品が無い場合には該当部品だけを起工することで）多様な仕様変更に対応可能であるので、仕様変更が生じても流用可能な部分を増やすことが可能となり、設計工数の削減やコスト低減を図ることができる。
【００３９】
また、本実施形態のコネクタユニット１において、複数の連結部材５，６は、延在方向に延在する長手形状の部材であり、長手形状の両端部にそれぞれ設けられる２つの係合凸部５Ｂ，５Ｃ，６Ｂ，６Ｃを有する。複数の連結部材５，６の２つの係合凸部５Ｂ，５Ｃ，６Ｂ，６Ｃのそれぞれを、複数のコネクタ２，３，４のうちの異なる２つのコネクタの係合凹部２Ｇ〜２Ｊ，３Ｇ〜３Ｊ，４Ｇ〜４Ｈのいずれかに連結させることで、複数の連結部材５，６と、複数のコネクタ２，３，４とが、相互に一体的に連結する連結体１１を構成する。複数の固定部材７，８の係合凸部７Ｂ，８Ｂを、この連結体１１の両端のコネクタ２，４の係合凹部２Ｇ〜２Ｊ，４Ｇ〜４Ｈのいずれかと連結させる（すなわち、固定部材７の係合凸部７Ｂを連結体１１の配列方向左側の端部に位置するコネクタ２の係合凹部２Ｊと連結させ、固定部材８の係合凸部８Ｂを連結体１１の配列方向右側の端部に位置するコネクタ４の係合凹部４Ｇと連結させる）ことで、固定部材７，８が、この連結体１１をＰＣＢ１０に固定する。
【００４０】
この構成により、複数のコネクタ２，３，４が連結部材５，６を介して一列状に連結されると共に、この一列状に連なる複数のコネクタ２，３，４の連結体１１の両端のコネクタ２，４に固定部材７，８がそれぞれ連結されてＰＣＢ１０に固定される。このように連結体１１をその両端部にてＰＣＢ１０に固定することで、コネクタユニット１の全体をより強固に、かつ、より効率的にＰＣＢ１０に固定することが可能となる。
【００４１】
また、本実施形態のコネクタユニット１では、固定部材７，８が、ネジ締結によってＰＣＢ１０に固定されるので、ＰＣＢ１０に対してコネクタユニット１をより強固に固定することが可能となる。
【００４２】
［変形例］
次に、図５を参照して上記実施形態の変形例を説明する。図５は、実施形態の変形例に係るコネクタユニットの概略構成を示す斜視図である。上記実施形態では、コネクタユニット１を構成するコネクタ２，３，４、連結部材５，６、及び固定部材７，８を配列方向に沿って一直線状に配置する構成、すなわち、固定部材７，８をコネクタユニット１の配列方向の両端に配置する構成を例示した。しかしながら、コネクタユニット１では、連結部材５，６や固定部材７，８を他の係合凹部２Ｇ〜２Ｊ，３Ｇ〜３Ｊ，４Ｇ〜４Ｈに連結させることで、上記実施形態のものとは異なる任意の配置にすることもできる。例えば図５に示すように、固定部材７の係合凸部７Ｂを、上記実施形態のようにコネクタ２の配列方向左側に設けられる係合凹部２Ｊに連結させるのではなく、幅方向の前側に設けられる係合凹部２Ｇに連結させることで、固定部材７をコネクタ２の幅方向前側に配置する構成としてもよい。
【００４３】
また、上記実施形態では、連結部材５，６の本体部５Ａ，６Ａは配列方向に延在する長手形状の部材であり、連結部材５，６の長手方向（配列方向）の長さが画定されている構成を例示したが、本体部５Ａ，６Ａの少なくとも一部に両端の係合凸部５Ｂ，５Ｃ，６Ｂ，６Ｃ（すなわちこれらの係合凸部と連結されるコネクタの係合凹部）の間で相対距離を調整する相対距離調整部を有する構成とすることもできる。相対距離調整部は、連結部材５，６の長手方向の長さを伸縮自在にできる構成であり、具体的な構成としては、例えば、連結部材５，６の本体部５Ａ，６Ａの少なくとも一部に撓み部や蛇腹構造を設ける構成や、連結部材５，６の本体部５Ａ，６Ａを形状記憶機能のある材料で形成する構成などが挙げられる。
【００４４】
このような相対距離調整部を連結部材５，６に設けることにより、ＰＣＢ１０への搭載時の各コネクタ２，３，４の配置や相対距離の変更などの仕様変更が生じた場合でも、共通の連結部材５，６によってコネクタ間の相対位置や相対距離を調整することができるので、連結部材５，６の交換が不要となり、コネクタユニット１の汎用性をより一層向上させることができる。
【００４５】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００４６】
上記実施形態では、コネクタユニット１に含まれるコネクタ２，３，４として、端子２Ｂ，３Ｂ，４ＢがＰＣＢ１０の搭載面１０Ａに対して垂直に立設される垂直型のコネクタを例示したが、コネクタの形状はこれに限定されず、例えば、水平型（Ｌ型）など他のコネクタ形状でもよい。また、上記実施形態では、端子２Ｂ，３Ｂ，４ＢをＰＣＢ１０のスルーホール１０Ｂ，１０Ｃ，１０Ｄに通してはんだ付けする挿入実装（スルーホール実装）のコネクタを例示したが、コネクタの種類はこれに限定されず、例えば表面実装やＤＩＰタイプなど他の種類でもよい。
【００４７】
上記実施形態では、複数の電子部品の集合体である電子部品ユニットの一例として、複数のコネクタ２，３，４の集合体であるコネクタユニット１を例示して説明したが、電子部品ユニットを構成する複数の電子部品のそれぞれが基板と接続する端子を有する構成であればよく、例えばリレー、ヒューズなどの他の電子部品の集合体でもよい。
【００４８】
上記実施形態では、連結部材５，６のそれぞれが２つの係合凸部５Ｂ，５Ｃ，６Ｂ，６Ｃ（第一連結部）を有し、複数のコネクタ２，３，４のうち２つを連結する構成を例示したが、単一の連結部材５，６が３つ以上の係合凸部を有し、３つ以上のコネクタを相互に連結する構成でもよい。
【００４９】
上記実施形態では、コネクタ２，３が４つの係合凹部２Ｇ〜２Ｊ，３Ｇ〜３Ｊを有する構成を例示し、コネクタ４が２つの係合凹部４Ｇ，４Ｈを有する構成を例示したが、単一のコネクタ（電子部品）は少なくとも２つの係合凹部（被連結部）を有する構成であればよく、２つまたは４つ以外の個数の係合凹部を有する構成でもよい。また、コネクタ４が配列方向に対向する２つの外周面４Ｄ，４Ｆにそれぞれ１つずつ係合凹部４Ｇ，４Ｈを有する構成を例示したが、係合凹部４Ｇ，４Ｈの配置はこれに限らない。例えば、実施形態では係合凹部４Ｇ，４Ｈが設けられていない幅方向に対向する外周面４Ｃ，４Ｅに係合凹部を設ける構成でもよいし、隣接する２つの外周面に係合凹部を設ける構成でもよいし、単一の外周面に２つの係合凹部を設ける構成でもよい。
【００５０】
上記実施形態では、コネクタ２，３，４の係合凹部２Ｇ〜２Ｊ，３Ｇ〜３Ｊ，４Ｇ〜４Ｈに、連結部材５，６の係合凸部５Ｂ，５Ｃ，６Ｂ，６Ｃ、または、固定部材７，８の係合凸部７Ｂ，８Ｂをスライド係合させることで、コネクタ２，３，４と、連結部材５，６または固定部材７，８とを連結させる構成を例示したが、スライド係合以外の手法でコネクタ２，３，４と、連結部材５，６または固定部材７，８とを連結させる構成でもよい。また、係合凸部と係合凹部の配置を入れ替えた構成としてもよい。
【００５１】
上記実施形態では、固定部材７，８がネジ９Ａ，９ＢによりＰＣＢ１０に締結される構成を例示したが、固定部材７，８のＰＣＢへの固定手法はネジ締結以外の手法でもよい。
【００５２】
上記実施形態では、複数のコネクタ２，３，４が連結部材５，６を介して一列状（直線状）に連結される構成を例示したが、コネクタ２，３，４と連結部材５，６とが一体的な連結体１１を構成できればよく、例えばＬ字状や階段状など直線状以外の連結形態でもよいし、Ｔ字状や放射状など一列状以外の連結形態でもよい。
【符号の説明】
【００５３】
１  コネクタユニット（電子部品ユニット）
２，３，４  コネクタ
２Ｇ〜２Ｊ，３Ｇ〜３Ｊ，４Ｇ〜４Ｈ  係合凹部（被連結部）
５，６  連結部材
５Ｂ，５Ｃ，６Ｂ，６Ｃ  係合凸部（第一連結部）
７，８  固定部材
７Ｂ，８Ｂ  係合凸部（第二連結部）
１０  プリント回路基板（ＰＣＢ、回路基板）
１１  連結体
【図１】
2016177942.tif 000003
【図２】
2016177942.tif 000004
【図３】
2016177942.tif 000005
【図４】
2016177942.tif 000006
【図５】
2016177942.tif 000007